【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
リザーバから作動液が導入され内部に圧力室を有するシリンダ本体と、前記リザーバから前記圧力室に作動液を補給する補給通路と、前記シリンダ本体内に摺動自在に嵌合されて前記圧力室を画成するとともに摺動位置に応じて前記補給通路を連通、遮断するピストンと、前記補給通路をバイパスして前記リザーバと前記圧力室を連通し、前記圧力室内の圧力が前記リザーバの圧力よりも低いときに開弁して作動液を前記リザーバから前記圧力室へ流通させる逆止弁機構を有するバイパス通路と、を備えたマスタシリンダにおいて、
前記逆止弁機構は、一端が開口したバルブケースと前記一端の開口を閉塞する蓋体とからなるカートリッジと、該カートリッジ内に収容され弁座に離着座する弁体と、前記カートリッジ内に収容され前記弁体を着座する方向に付勢する付勢手段と、を備え、前記弁体および前記付勢手段を収容した前記カートリッジが前記バイパス通路内に連通配置されていることを特徴とするマスタシリンダ。
【請求項２】
前記バイパス通路は、前記逆止弁機構が設けられる弁室を有し、該弁室を前記リザーバおよび前記圧力室に連通し、前記弁室は、前記シリンダ本体に一体に形成された凹部と、この凹部を閉塞する蓋部材とにより構成され、前記弁体および前記付勢手段を収容した前記カートリッジが前記弁室内に配置されて前記リザーバおよび前記圧力室に連通していることを特徴とする請求項１に記載のマスタシリンダ。
【請求項３】
前記弁体は、付勢手段により弁座に向けて付勢されたリフト弁であり、該リフト弁は、弁座に離着座する弁部と摺動部とを有し、前記カートリッジには、前記摺動部を摺動可能に案内するガイド部が設けられていることを特徴とする請求項１または２に記載のマスタシリンダ。
【請求項４】
前記ガイド部は、前記バルブケースに設けられ、前記弁体は、前記バルブケースのガイド部に摺動する摺動部が設けられ、前記弁体の摺動部は断面略円形状で前記摺動部の摺動方向長さは該摺動部の直径よりも長く設定されていることを特徴とする請求項１乃至３のいずれかに記載のマスタシリンダ。
【請求項５】
前記カートリッジの蓋体は、前記弁室の蓋部材により構成されていることを特徴とする請求項２に記載のマスタシリンダ。
【請求項６】
前記蓋部材は、有底筒状であり、内周側が前記バルブケースと嵌合し、外周側が前記弁室の凹部の内周にシール部材により液密に嵌合されていることを特徴とする請求項５に記載のマスタシリンダ。
【請求項７】
前記バルブケースと蓋体の間には環状弾性部材が設けられ、該環状弾性部材により前記バルブケースと蓋体とが固定されていることを特徴とする請求項１乃至６のいずれかに記載のマスタシリンダ。
【請求項８】
前記カートリッジは、前記弁体が重力方向に移動するように前記バイパス通路内に配置されていることを特徴とする請求項１乃至７のいずれかに記載のマスタシリンダ。
【請求項９】
前記カートリッジは、前記弁体が重力方向に移動するように前記弁室内に配置され、前記弁室の上端は、前記リザーバよりも重力方向下方に配置され、前記バイパス通路のうちの、前記弁室と前記リザーバを連通するリザーバ通路は、前記弁室の上端に接続されていることを特徴とする請求項２、５、６のいずれかに記載のマスタシリンダ。
【請求項１０】
前記バルブケースには、前記カートリッジが前記弁室に嵌合されたときに、前記弁室内をリザーバ側連通空間と圧力室側連通空間に画成する環状シール部材が設けられていることを特徴とする請求項２、５、６、９のいずれかに記載のマスタシリンダ。
【請求項１１】
前記バルブケースに前記弁座が設けられ、該弁座には、前記リザーバと連通する軸方向孔が形成され、前記バルブケースの周面には前記圧力室と連通する径方向孔が設けられていることを特徴とする請求項１乃至１０のいずれかに記載のマスタシリンダ。
【請求項１２】
前記リフト弁の弁部は、前記摺動部と一体の弁部本体と、これに取り付けられて前記弁座に接離するゴム製の弁シートとを有し、該弁シートは、所定以上の圧力で前記弁座に押圧されたときに前記リフト弁の摺動方向に圧縮され、前記弁部本体は、このときに前記弁座に当接することを特徴とする請求項３に記載のマスタシリンダ。
【請求項１３】
リザーバから作動液が導入されるシリンダ本体と、このシリンダ本体内に摺動自在に嵌合されてシリンダ本体内に圧力室を画成するピストンと、前記シリンダ本体に形成されて前記リザーバから前記圧力室に作動液を補給する補給通路と、この補給通路をバイパスして前記リザーバと前記圧力室を連通するバイパス通路と、このバイパス通路に介装されて前記圧力室内の圧力が前記リザーバの圧力よりも低いときに開弁する逆止弁機構と、を備えたマスタシリンダの製造方法において、
一端が開口し他端側の内面に弁座を有するバルブケースと前記一端の開口を閉塞する蓋体とからなるカートリッジを用意する工程と、  該カートリッジ内に、前記バルブケースの弁座に離着座する弁体および該弁体を着座方向に付勢する付勢手段を収容する工程と、  前記弁体および前記付勢手段を収容した前記カートリッジを前記バイパス通路内に連通配置する工程と、を有することを特徴とするマスタシリンダの製造方法。
【請求項１４】
マスタシリンダのシリンダ本体に設けられる圧力室にリザーバから作動液を補給する補給通路をバイパスして前記リザーバと前記圧力室を連通するバイパス通路に設けられる逆止弁機構であって、
前記逆止弁機構は、一端が開口したバルブケースと、前記一端の開口を閉塞する蓋体と、該カートリッジ内に収容され弁座に離着座する弁体と、前記カートリッジ内に収容され前記弁体を着座する方向に付勢する付勢手段と、を備え、前記弁体および前記付勢手段を収容した前記バルブケースの一端の開口を蓋体により閉塞してサブアセンブリ体としたことを特徴とする逆止弁機構。
【手続補正２】
【補正対象書類名】明細書
【補正対象項目名】０００８
【補正方法】変更
【補正の内容】
【０００８】
請求項２に記載の発明は、請求項１に記載のマスタシリンダにおいて、前記バイパス通路は、前記逆止弁機構が設けられる弁室を有し、該弁室を前記リザーバおよび前記圧力室に連通し、前記弁室は、前記シリンダ本体に一体に形成された凹部と、この凹部を閉塞する蓋部材とにより構成され、前記弁体および前記付勢手段を収容した前記カートリッジが前記弁室内に配置されて前記リザーバおよび前記圧力室に連通していることを特徴とする。
【手続補正３】
【補正対象書類名】明細書
【補正対象項目名】０００９
【補正方法】変更
【補正の内容】
【０００９】
請求項３に記載の発明は、請求項１または２に記載のマスタシリンダにおいて、前記弁体は、付勢手段により弁座に向けて付勢されたリフト弁であり、該リフト弁は、弁座に離着座する弁部と摺動部とを有し、前記カートリッジには、前記摺動部を摺動可能に案内するガイド部が設けられていることを特徴とする。
【手続補正４】
【補正対象書類名】明細書
【補正対象項目名】００１０
【補正方法】変更
【補正の内容】
【００１０】
請求項４に記載の発明は、請求項１乃至３のいずれかに記載のマスタシリンダにおいて、前記ガイド部は、前記バルブケースに設けられ、前記弁体は、前記バルブケースのガイド部に摺動する摺動部が設けられ、前記弁体の摺動部は断面略円形状で前記摺動部の摺動方向長さは該摺動部の直径よりも長く設定されていることを特徴とする。
【手続補正５】
【補正対象書類名】明細書
【補正対象項目名】００１１
【補正方法】変更
【補正の内容】
【００１１】
請求項５に記載の発明は、請求項２に記載のマスタシリンダにおいて、前記カートリッジの蓋体は、前記弁室の蓋部材により構成されていることを特徴とする。
【手続補正６】
【補正対象書類名】明細書
【補正対象項目名】００１２
【補正方法】変更
【補正の内容】
【００１２】
請求項６に記載の発明は、請求項５に記載のマスタシリンダにおいて、前記蓋部材は、有底筒状であり、内周側が前記バルブケースと嵌合し、外周側が前記弁室の凹部の内周にシール部材により液密に嵌合されていることを特徴とする。
【手続補正７】
【補正対象書類名】明細書
【補正対象項目名】００１３
【補正方法】変更
【補正の内容】
【００１３】
請求項７に記載の発明は、請求項１乃至６のいずれかに記載のマスタシリンダにおいて、前記バルブケースと蓋体の間には環状弾性部材が設けられ、該環状弾性部材により前記バルブケースと蓋体とが固定されていることを特徴とする。
【手続補正８】
【補正対象書類名】明細書
【補正対象項目名】００１４
【補正方法】変更
【補正の内容】
【００１４】
請求項８に記載の発明は、請求項１乃至７のいずれかに記載のマスタシリンダにおいて、前記カートリッジは、前記弁体が重力方向に移動するように前記弁室バイパス通路内に配置されていることを特徴とする。
【手続補正９】
【補正対象書類名】明細書
【補正対象項目名】００１５
【補正方法】変更
【補正の内容】
【００１５】
請求項９に記載の発明は、請求項２、５、６のいずれかに記載のマスタシリンダにおいて、前記カートリッジは、前記弁体が重力方向に移動するように前記弁室内に配置され、前記弁室の上端は、前記リザーバよりも重力方向下方に配置され、前記バイパス通路のうちの、前記弁室と前記リザーバを連通するリザーバ通路は、前記弁室の上端に接続されていることを特徴とする。
【手続補正１０】
【補正対象書類名】明細書
【補正対象項目名】００１６
【補正方法】変更
【補正の内容】
【００１６】
請求項１０に記載の発明は、請求項２、５、６、９のいずれかに記載のマスタシリンダにおいて、前記バルブケースには、前記カートリッジが前記弁室に嵌合されたときに、前記弁室内をリザーバ側連通空間と圧力室側連通空間に画成する環状シール部材が設けられていることを特徴とする。
【手続補正１１】
【補正対象書類名】明細書
【補正対象項目名】００１７
【補正方法】変更
【補正の内容】
【００１７】
請求項１１に記載の発明は、請求項１乃至１０のいずれかに記載のマスタシリンダにおいて、前記バルブケースに前記弁座が設けられ、該の弁座には、前記リザーバと連通する軸方向孔が形成され、前記バルブケースの周面には前記圧力室と連通する径方向孔が設けられていることを特徴とする。
【手続補正１２】
【補正対象書類名】明細書
【補正対象項目名】００１８
【補正方法】変更
【補正の内容】
【００１８】
請求項１２に記載の発明は、請求項３に記載のマスタシリンダにおいて、前記リフト弁の弁部は、前記摺動部と一体の弁部本体と、これに取り付けられて前記弁座に接離するゴム製の弁シートとを有し、該弁シートは、所定以上の圧力で前記弁座に押圧されたときに前記リフト弁の摺動方向に圧縮され、前記弁部本体は、このときに前記弁座に当接することを特徴とする。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
請求項１３に記載の発明は、リザーバから作動液が導入されるシリンダ本体と、このシリンダ本体内に摺動自在に嵌合されてシリンダ本体内に圧力室を画成するピストンと、前記シリンダ本体に形成されて前記リザーバから前記圧力室に作動液を補給する補給通路と、この補給通路をバイパスして前記リザーバと前記圧力室を連通するバイパス通路と、このバイパス通路に介装されて前記圧力室内の圧力が前記リザーバの圧力よりも低いときに開弁する逆止弁機構と、を備えたマスタシリンダの製造方法において、一端が開口し他端側の内面に弁座を有するバルブケースと前記一端の開口を閉塞する蓋体とからなるカートリッジを用意する工程と、該カートリッジ内に、前記バルブケースの弁座に離着座する弁体および該弁体を着座方向に付勢する付勢手段を収容する工程と、前記弁体および前記付勢手段を収容した前記カートリッジを前記バイパス通路内に連通配置する工程と、を有することを特徴とする。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
請求項１４に記載の発明のマスタシリンダに用いる逆止弁機構は、マスタシリンダのシリンダ本体に設けられる圧力室にリザーバから作動液を補給する補給通路をバイパスして前記リザーバと前記圧力室を連通するバイパス通路に設けられる逆止弁機構であって、前記逆止弁機構は、一端が開口したバルブケースと、前記一端の開口を閉塞する蓋体と、該カートリッジ内に収容され弁座に離着座する弁体と、前記カートリッジ内に収容され前記弁体を着座する方向に付勢する付勢手段と、を備え、前記弁体および前記付勢手段を収容した前記バルブケースの一端の開口を蓋体により閉塞してサブアセンブリ体としたことを特徴とする。